【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
開口部と被削材上を摺動する摺動面とを備えるベースと、
該摺動面の反被削材側において該摺動面に垂直の方向に上下動可能に支持され、電動機を内蔵し、該摺動面に略垂直の方向であって該ベースへ向かう方向へ該電動機から延出する出力軸とを有する本体と、
該出力軸の端部に装着され、該電動機が駆動することにより回転する刃物と、
該本体に設けられたハンドルとを備え、
該開口部は該ベースを貫通して該被削材側と反被削材側とに開口し、該刃物は、該本体の上下動により該ベースの該摺動面よりも該被削材側に該開口部から突出可能なルータにおいて、
該ハンドルは該本体に対して回動可能に支承され、該ハンドルを手で把持したときに親指で操作可能な該ハンドルの位置には、該電動機の回転速度を調整可能な速度可変ダイヤルが設けられていることを特徴とするルータ。
【請求項２】
該ハンドルは該本体を挟むように一対設けられ、該速度可変ダイヤルは一方の該ハンドルに設けられていることを特徴とする請求項１記載のルータ。
【請求項３】
該ハンドルは把持領域と非把持領域とを有し、該把持領域の反ベース側に位置する上方の該非把持領域に該速度可変ダイヤルの操作部が設けられていることを特徴とする請求項１乃至請求項２記載のルータ。
【請求項４】
該速度可変ダイヤルは、該一対のハンドルを結ぶ仮想線と平行な回転軸を有することを特徴とする請求項２乃至請求項３記載のルータ。
【請求項５】
該ハンドルは少なくとも該上方の非把持領域に曲面を有する形状をしており、該速度可変ダイヤルの操作部は該曲面形状部分に設けられていることを特徴とする請求項４記載のルータ。
【請求項６】
該上方の非把持領域には、該把持領域の長手方向に対して直交すると共に、一対の該ハンドルを結ぶ仮想線に対して直交する方向に該把持領域よりも突出する突出部が設けられていることを特徴とする請求項２乃至請求項４記載のルータ。
【請求項７】
該速度可変ダイヤルは、該ハンドルの外形の輪郭よりも内方の位置に配置され、該ハンドルの外形の輪郭から突出していないことを特徴とする請求項１乃至請求項６のいずれか一記載のルータ。
【請求項８】
該本体には外方へ突出する本体突出部が設けられ、該ハンドルは該本体突出部を覆うように取付けられ、該ハンドル内にはハンドル内空間が形成され、該本体突出部には本体突出部空間が形成され、該ハンドル内空間と該本体突出部空間とは、該ハンドルに形成されたハンドル連通孔と該本体突出部に形成された本体突出部連通孔とを介して連通し、
該速度可変ダイヤルと該電動機とはコードによって接続され、該コードは、該ハンドル連通孔と該本体突出部連通孔とを通り該ハンドル内空間と該本体突出部空間とに渡って配置され、
該ハンドル連通孔の一部と該本体突出孔の一部とは常時連通状態に維持されることを特徴とする請求項１乃至請求項７のいずれか一記載のルータ。
【請求項９】
該電動機を保持する該本体の該被削材側の部分と該本体突出部とは導電性の物質により構成され、
該本体突出部連通孔内であって該本体突出部連通孔を画成する該本体突出部の部分と該コードとの間には、絶縁性の材料により構成される絶縁部材が設けられていることを特徴とする請求項８記載のルータ。
【請求項１０】
開口部と被削材上を摺動する摺動面とを備えるベースと、
該摺動面の反被削材側において該摺動面に垂直の方向に上下動可能に支持され、電動機を内蔵し、該摺動面に略垂直の方向であって該ベースへ向かう方向へ該電動機から延出する出力軸とを有する本体と、
該出力軸の端部に装着され、該電動機が駆動することにより回転する刃物と、
該本体に設けられたハンドルとを備え、
該開口部は該ベースを貫通して該被削材側と反被削材側とに開口し、該刃物は、該本体の上下動により該ベースの該摺動面よりも該被削材側に該開口部から突出可能なルータにおいて、
該ハンドルを手で把持したときに親指で操作可能な該ハンドルの位置には、該電動機の回転速度を調整可能な速度可変ダイヤルが設けられると共に、
該本体には外方へ突出する本体突出部が設けられ、該ハンドルは該本体突出部を覆うように取付けられ、該ハンドル内にはハンドル内空間が形成され、該本体突出部には本体突出部空間が形成され、該ハンドル内空間と該本体突出部空間とは、該ハンドルに形成されたハンドル連通孔と該本体突出部に形成された本体突出部連通孔とを介して連通し、
該速度可変ダイヤルと該電動機とはコードによって接続され、該コードは、該ハンドル連通孔と該本体突出部連通孔とを通り該ハンドル内空間と該本体突出部空間とに渡って配置され、
該ハンドル連通孔の一部と該本体突出孔の一部とは常時連通状態に維持され、
該電動機を保持する該本体の該被削材側の部分と該本体突出部とは導電性の物質により構成され、
該本体突出部連通孔内であって該本体突出部連通孔を画成する該本体突出部の部分と該コードとの間には、絶縁性の材料により構成される絶縁部材が設けられていることを特徴とするルータ。
【請求項１１】
該絶縁部材は該ハンドル連通孔内へ突出し、該コードは該絶縁部材を跨ぐようにして配置されていることを特徴とする請求項１０記載のルータ。
【請求項１２】
該ハンドル連通孔内へ突出する該絶縁部材は、該ハンドルの回動に伴い、該ハンドルの回動方向における該ハンドル連通孔の一端及び他端を画成する該ハンドルの部分にそれぞれ当接することにより、該ハンドルの回動が規制されることを特徴とする請求項１０記載のルータ。
【請求項１３】
該ハンドルの回動方向における該ハンドル連通孔の一端には、該ハンドルが回動されて該ハンドル連通孔の該一端に該絶縁部材が当接するときに該絶縁部材に対向する該コードが一時的に退避可能な凹部が、該一端の位置よりも該ハンドルの回動方向へ窪んで形成されていることを特徴とする請求項１２記載のルータ。
【手続補正２】
【補正対象書類名】明細書
【補正対象項目名】００１０
【補正方法】変更
【補正の内容】
【００１０】
上記目的を達成するために、本発明は、開口部と被削材上を摺動する摺動面とを備えるベースと、該摺動面の反被削材側において該摺動面に垂直の方向に上下動可能に支持され、電動機を内蔵し、該摺動面に略垂直の方向であって該ベースへ向かう方向へ該電動機から延出する出力軸とを有する本体と、該出力軸の端部に装着され、該電動機が駆動することにより回転する刃物と、該本体に設けられたハンドルとを備え、該開口部は該ベースを貫通して該被削材側と反被削材側とに開口し、該刃物は、該本体の上下動により該ベースの該摺動面よりも該被削材側に該開口部から突出可能なルータにおいて、該ハンドルは該本体に対して回動可能に支承され、該ハンドルを手で把持したときに親指で操作可能な該ハンドルの位置には、該電動機の回転速度を調整可能な速度可変ダイヤルが設けられているルータを提供している。
【手続補正３】
【補正対象書類名】明細書
【補正対象項目名】００１７
【補正方法】変更
【補正の内容】
【００１７】
また、該本体には外方へ突出する本体突出部が設けられ、該ハンドルは該本体突出部を覆うように取付けられ、該ハンドル内にはハンドル内空間が形成され、該本体突出部には本体突出部空間が形成され、該ハンドル内空間と該本体突出部空間とは、該ハンドルに形成されたハンドル連通孔と該本体突出部に形成された本体突出部連通孔とを介して連通し、該速度可変ダイヤルと該電動機とはコードによって接続され、該コードは、該ハンドル連通孔と該本体突出部連通孔とを通り該ハンドル内空間と該本体突出部空間とに渡って配置され、該ハンドル連通孔の一部と該本体突出孔の一部とは常時連通状態に維持されることが好ましい。
【手続補正４】
【補正対象書類名】明細書
【補正対象項目名】００１８
【補正方法】変更
【補正の内容】
【００１８】
また、該電動機を保持する該本体の該被削材側の部分と該本体突出部とは導電性の物質により構成され、該本体突出部連通孔内であって該本体突出部連通孔を画成する該本体突出部の部分と該コードとの間には、絶縁性の材料により構成される絶縁部材が設けられていることが好ましい。
【手続補正５】
【補正対象書類名】明細書
【補正対象項目名】００１９
【補正方法】変更
【補正の内容】
【００１９】
また、本発明は、開口部と被削材上を摺動する摺動面とを備えるベースと、該摺動面の反被削材側において該摺動面に垂直の方向に上下動可能に支持され、電動機を内蔵し、該摺動面に略垂直の方向であって該ベースへ向かう方向へ該電動機から延出する出力軸とを有する本体と、該出力軸の端部に装着され、該電動機が駆動することにより回転する刃物と、該本体に設けられたハンドルとを備え、該開口部は該ベースを貫通して該被削材側と反被削材側とに開口し、該刃物は、該本体の上下動により該ベースの該摺動面よりも該被削材側に該開口部から突出可能なルータにおいて、該ハンドルを手で把持したときに親指で操作可能な該ハンドルの位置には、該電動機の回転速度を調整可能な速度可変ダイヤルが設けられると共に、該本体には外方へ突出する本体突出部が設けられ、該ハンドルは該本体突出部を覆うように取付けられ、該ハンドル内にはハンドル内空間が形成され、該本体突出部には本体突出部空間が形成され、該ハンドル内空間と該本体突出部空間とは、該ハンドルに形成されたハンドル連通孔と該本体突出部に形成された本体突出部連通孔とを介して連通し、該速度可変ダイヤルと該電動機とはコードによって接続され、該コードは、該ハンドル連通孔と該本体突出部連通孔とを通り該ハンドル内空間と該本体突出部空間とに渡って配置され、該ハンドル連通孔の一部と該本体突出孔の一部とは常時連通状態に維持され、該電動機を保持する該本体の該被削材側の部分と該本体突出部とは導電性の物質により構成され、該本体突出部連通孔内であって該本体突出部連通孔を画成する該本体突出部の部分と該コードとの間には、絶縁性の材料により構成される絶縁部材が設けられているルータを提供している。
【手続補正６】
【補正対象書類名】明細書
【補正対象項目名】００２０
【補正方法】変更
【補正の内容】
【００２０】
ここで、該絶縁部材は該ハンドル連通孔内へ突出し、該コードは該絶縁部材を跨ぐようにして配置されていることが好ましい。
【手続補正７】
【補正対象書類名】明細書
【補正対象項目名】００２３
【補正方法】変更
【補正の内容】
【００２３】
請求項１記載のルータによれば、該ハンドルを手で把持したときに親指で操作可能な該ハンドルの位置には、該電動機の回転速度を調整可能な速度可変ダイヤルが設けられているため、作業者は、ハンドルを手で把持した状態のままで、刃物による切削材への切込みを行いながら電動機の回転速度を調整することができる。このため、作業性を著しく向上させることができる。また、ハンドルは、本体に対して回動可能に支承されているため、作業環境や作業者の好みなどによって任意の角度にハンドルの位置を調整することができるようになり、作業性の向上を図ることができる。
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】変更
【補正の内容】
【００３１】
請求項８記載のルータによれば、速度可変ダイヤルと電動機とはコードによって接続され、コードは、ハンドル連通孔と本体突出部連通孔とを通りハンドル内空間と本体突出部空間とに渡って配置され、ハンドル連通孔の一部と本体突出孔の一部とは常時連通状態に維持されるため、コードに無理な負荷をかけてしまうことを防止することができる。
【手続補正１０】
【補正対象書類名】明細書
【補正対象項目名】００３２
【補正方法】変更
【補正の内容】
【００３２】
請求項９又は請求項１１記載のルータによれば、電動機を保持する本体の被削材側の部分と本体突出部とは導電性の物質により構成され、本体突出部連通孔内であって本体突出部連通孔を画成する本体突出部の部分とコードとの間には、絶縁性の物質により構成される絶縁部材が設けられているため、絶縁被覆されたコードの絶縁被覆が万が一破損した場合であっても、コードから本体突出部へ漏電したりすることを防止することができる。